(57)【特許請求の範囲】
【請求項１】
一端に、壁面に固定される壁面固定座が、他端に、手摺の端部を保持する手摺保持部が設けられるとともに、これら壁面固定座と手摺保持部との間の湾曲部に、該湾曲部の外側に開口する開口部が設けられたブラケット本体と、このブラケット本体の前記開口部を閉塞するカバーとを有する手摺用エンドブラケットにおいて、
前記カバーには、その一端部に第一係合部が設けられるとともに、他端部に第二係合部が設けられる一方、
前記ブラケット本体には、前記壁面固定座に、前記第一係合部と係合する第一被係合部が設けられるとともに、前記手摺保持部に、前記第二係合部と係合する第二被係合部が設けられ、
前記第一係合部と第一被係合部とは、それらの係合し合う方向が前記壁面と直交する方向に略沿う方向とされ、前記第二係合部と第二被係合部とは、前記第一係合部と第一被係合部とが係合状態にあるときに係合される構成であり、
前記ブラケット本体の壁面固定座には、該ブラケット本体が入隅部に設置された際に該壁面固定座が固定される壁面と隣接する壁面に当接し、該隣接する壁面と前記ブラケット本体との間に前記カバーの前記開口部への着脱を許容し得るだけの間隙を確保する延出部が設けられた、
ことを特徴とする手摺用エンドブラケット。
【発明の詳細な説明】
【技術分野】
【０００１】
本発明は手摺を壁面に取付けるエンドブラケットに関する。
【背景技術】
【０００２】
従来、手摺を壁面に取付けるためのエンドブラケットとして、例えば特許文献１には、湾曲した割管状本体の両端部に座を設け、前記本体周壁の外側部分を両端の座間で開口させ、この開口に前記本体の周壁に連続するカバーを着脱自在に被せた手摺用接続具において、前記カバーの一端部に差込片を延設すると共に、前記カバーの他端部から内側へ延びる弾性板の先端部に係合突起を形成し、前記差込片を一方の座側の差込穴に差込み、前記弾性板を撓ませつつ前記係合突起を他方の座側の掘込部に係合させて、該カバーを本体に固定する構成の手摺用接続具（エンドブラケット）が記載されている。
【先行技術文献】
【特許文献】
【０００３】
【特許文献１】特開２００４−０７６４７７号公報
【発明の概要】
【発明が解決しようとする課題】
【０００４】
上記特許文献１に記載されたようなエンドブラケットのカバーを本体の開口部に固定する際には、まずカバーを傾けてその一端の差込片を手摺取付側の座の差込穴に差込み、その後該差込片を軸にカバーを旋回させ、他端の弾性板を撓ませつつ係合突起を壁面取付側の座の掘込部に係合させる。
【０００５】
このように上記従来のエンドブラケットにあっては、ブラケット本体の壁面取付側の座の掘込部にカバーの他端の係合突起を係合させるにはブラケット本体の手摺取付側の差込穴に差し込んだカバーの差込片を軸としてカバーを旋回させる必要があるため、壁面取付側の座の端部より外側に、その旋回の振れ幅を許容し得る空間が必要となる。
【０００６】
このため、このようなエンドブラケットを入隅部に取り付ける場合、ブラケット本体を、それを固定する壁面（以下、固定面という。）に隣接する壁面（以下、隣接面という。）から上記空間に相当する距離だけ離間させる必要がある。その結果、エンドブラケットを入隅部のコーナーぎりぎりに、つまりエンドブラケットを固定面に、隣接面と接するくらいに近付けて取り付けることができず、このためエンドブラケットと隣接面との間に不体裁な空間が必ずできることから入隅部の美観が損なわれてしまうといった問題があった。
【０００７】
本発明は上記のような課題に鑑みてなされたものであり、入隅部に取付ける場合に、エンドブラケットと隣接面との間に上記したような不体裁な空間を生じさせることなく、入隅部の美観を損ねる虞のない手摺用エンドブラケットを提供することを目的とする。
【課題を解決するための手段】
【０００８】
上記課題を解決するために、本発明は次のとおりの構成としている。
【０００９】
本発明の手摺用エンドブラケットは、一端に、壁面に固定される壁面固定座が、他端に、手摺の端部を保持する手摺保持部が設けられるとともに、これら壁面固定座と手摺保持部との間の湾曲部に、該湾曲部の外側に開口する開口部が設けられたブラケット本体と、このブラケット本体の前記開口部を閉塞するカバーとを有する手摺用エンドブラケットにおいて、前記カバーには、その一端部に第一係合部が設けられるとともに、他端部に第二係合部が設けられる一方、前記ブラケット本体には、前記壁面固定座に、前記第一係合部と係合する第一被係合部が設けられるとともに、前記手摺保持部に、前記第二係合部と係合する第二被係合部が設けられ、前記第一係合部と第一被係合部とは、それらの係合し合う方向が前記壁面と直交する方向に略沿う方向とされ、前記第二係合部と第二被係合部とは、前記第一係合部と第一被係合部とが係合状態にあるときに係合される構成であることを特徴としている。
【００１０】
上記の構成によれば、カバーを取付ける際、まずカバーの第一係合部を壁面固定座の第一被係合部に係合させるが、ここで第一係合部と第一被係合部とは、それらの係合し合う方向が、固定面と直交する方向に略沿う方向とされているから、ブラケット本体の壁面取付座が隣接面に近接していてもブラケット本体と隣接面との間にカバーを差し入れて第一係合部と第一被係合部とを係合させることができる。また、第二係合部と第二被係合部との係合は、第一係合部と第一被係合部とが係合状態にあるときに、カバーを第一係合部を軸に旋回させることにより行われるが、カバーの旋回幅は旋回軸に近いほど小さくなることから、ブラケット本体と隣接面との間におけるカバーの旋回幅は他の部位におけるそれと比べて極めて小さいため、上記従来のものに比べてブラケットを入隅部のコーナーぎりぎりに取り付けることができる。
【００１１】
また、前記ブラケット本体の壁面固定座には、該ブラケット本体が入隅部に設置された際に該壁面固定座が固定される壁面と隣接する壁面に当接し、該隣接する壁面と前記ブラケット本体との間に前記カバーの前記開口部への着脱を許容し得るだけの間隙を確保する延出部が設けられている。
【００１２】
この構成によれば、延出部を隣接面に当接させるだけで、カバーを着脱するための最低限の間隙を隣接面との間に確保することができるから、施工時に、ブラケット本体と隣接面との間隔を一々計測したりする必要がなく、取付作業がし易いとともに、一定の作業品質を確保することができるので、作業者の能力によってブラケットと隣接面との隙間が異なるなどといった不具合の発生を防止することができる。また、延出部を隣接面に当接させるだけで、手摺の取付位置に関してその基準を瞬時に出すことができ、手摺を壁面の所定位置に正確に取り付けることができる。
【発明の効果】
【００１５】
本発明によれば、入隅部に取付ける場合に、エンドブラケットと隣接面との間に不体裁な空間を生じさせることなく、入隅部の美観を損ねる虞のない手摺用エンドブラケットを提供することができる。
【図面の簡単な説明】
【００１６】
【図１】本実施形態に係る手摺用エンドブラケットのブラケット本体とカバーとを示す分解斜視図である。
【図２】カバーを裏側から見た斜視図である。
【図３】カバーをブラケット本体に取付ける工程を示す断面図である。
【発明を実施するための形態】
【００１７】
以下、本発明の手摺用エンドブラケットの実施形態について、図面を用いて詳しく説明する。
【００１８】
図１は、本実施形態に係る手摺用エンドブラケットのブラケット本体とカバーとを示す分解斜視図である。図２は、カバーを裏側から見た斜視図である。図３は、カバーをブラケット本体に取付ける工程を示す断面図である。
−手摺用エンドブラケット１の構成−
本実施形態の手摺用エンドブラケット１は、図１〜３に示すように、一端に、壁面（固定面）Ｗ１に固定される壁面固定座３が、他端に、手摺（図示省略）の端部を保持する手摺保持部４が設けられるとともに、これら壁面固定座３と手摺保持部４との間の湾曲部２０に、該湾曲部２０の外側に開口する開口部２１が設けられたブラケット本体２と、このブラケット本体２の開口部２１を閉塞するカバー５とを有する。
【００１９】
また、カバー５には、その一端部に差込片５１（第一係合部）が設けられるとともに、他端部に弾性を有する弾性片５２（第二係合部）が設けられる一方、ブラケット本体２には、壁面固定座３に、差込片５１と係合する差込孔３０（第一被係合部）が設けられるとともに、手摺保持部４に、弾性片５２と係合する係合孔４０（第二被係合部）が設けられている。差込片５１と差込孔３０とは、それらの係合し合う方向が壁面Ｗ１と直交する方向に略沿う方向とされ、弾性片５２と係合孔４０とは、差込片５１と差込孔３０とが係合状態にあるときに係合される構成となっている。なお、図１において、符号５４は、カバー５をブラケット本体２から取り外す際に使用する工具（例えば、マイナスドライバー）を差し込むための切欠部を示す。
【００２０】
ブラケット本体２は、その湾曲部２０において、壁面固定座３と手摺保持部４とが略９０度の角度をなすように湾曲している。このブラケット本体２は、手摺の荷重を支える必要から金属等の高い強度を備えた材料が好ましいが、合成樹脂材であってもよい。
【００２１】
壁面固定座３は、その底面が略矩形状に形成されており、ブラケット本体２内部から壁面Ｗ１に向かって固定ネジ（図示省略）を通すための固定具挿通孔３２〜３２が複数貫設されている。また、壁面固定座３には、図３に示すように、ブラケット本体２が入隅部に設置された際に該壁面固定座３が固定される壁面Ｗ１と隣接する壁面（隣接面）Ｗ２に当接し、該壁面Ｗ２とブラケット本体２との間にカバー５の開口部２１への着脱を許容し得るだけの間隙を確保する延出部３１が設けられている。ここで、上述の差込孔３０は、壁面固定座３の延出部３１が設けられる辺に沿って貫設されている。
【００２２】
次に、図３を参照して、この延出部３１の延出長さｔについて詳述する。カバー５の開口部２１への着脱にあたって、弾性片５２と係合孔４０との係脱が、差込片５１と差込孔３０とが係合状態にあるときに、カバー５を差込片５１を軸に旋回させることにより行われるので、その最小の旋回幅（図３において符号ａで示す二点鎖線と符号ｂで示す実線（装着時におけるカバー５の外面）との幅）がブラケット本体２と壁面Ｗ２との間に確保し得るよう、延出部３１の延出長さｔが設定されている。
【００２３】
ここで、カバー５の旋回幅は旋回軸（差込片５１）に近いほど小さくなることから、ブラケット本体２と壁面Ｗ２との間におけるカバーの旋回幅は極めて小さく、したがって、上記延出部３１の延出長さｔは、図３に示すように、非常に短いものとなっている。このため、本発明のブラケット１にあっては従来に比べて入隅部のコーナーぎりぎり、つまり壁面Ｗ２に接するくらいに近付けて取り付けることができる。
【００２４】
なお、図示例では延出部３１の上面をテーパ面としているが、これに限らず、水平面としてもよい。また、延出部３１は必ずしも設ける必要はなく、その場合、ブラケット本体２を壁面Ｗ１に固定する際、壁面固定座３と壁面Ｗ２との間に、上記ｔの寸法に相当する間隙を確保すればよい。さらに、延出部３１は、その幅寸法（図３において紙面と垂直な方向の寸法）を壁面固定座３の幅寸法より小さくしておくと、入隅部への取付後において延出部３１が外から見て目立たず、入隅部の仕舞いがすっきりしたものとなる。
【００２５】
手摺保持部４には、手摺の端部が嵌め込まれる円筒状の手摺嵌合筒４１が設けられている。また、手摺嵌合筒４１の底面にあたる部位には、ブラケット本体２内部から手摺の端部に対し固定ネジ（図示省略）を通すための固定具挿通孔４２〜４２が複数貫設されるとともに、弾性片５２と係合する係合孔４０が貫設されている。
【００２６】
カバー５は、ブラケット本体２の開口部２１に取付けられるよう、該開口部２１の形状に合わせて湾曲している。カバー５を構成する材料は金属でもよいが、合成樹脂を用いてもよい。上述の差込片５１は、壁面固定座３の差込孔３０に対して、壁面Ｗ１と直交する方向に略沿う方向で差し込めるよう、カバー５の一端部から延設されている。カバー５の他端部に設けられた弾性片５２は、その基端部が、カバー５の他端部の裏面に設けられた弾性片取付部５３に固定されている。弾性片５２は、カバー５の端部において、該カバー５の内側へ向かって垂設されており、その先端部分には、手摺保持部４の係合孔４０に嵌り込む先端凸部５２ａが設けられている。
−手摺用エンドブラケット１の取付方法−
以下、手摺用エンドブラケット１を用いて、手摺の端部を部屋等の入隅部に設置する方法について説明する。
【００２７】
まず、手摺保持部４の手摺嵌合筒４１に手摺の端部を嵌め込み、その状態でブラケット本体２内部から手摺保持部４の固定具挿通孔４２〜４２を通して固定ネジを手摺の端部にねじ込むことにより、手摺の端部にブラケット本体２を固定する。なお、手摺の反対側も入隅部に位置させる場合は、上記と同様に、手摺の反対側の端部にもう一つのブラケット本体２を固定する。
【００２８】
次に、ブラケット本体２の壁面固定座３を入隅部の壁面Ｗ１に当接させるとともに、壁面固定座３の延出部３１の端を壁面Ｗ２に当接させる。これにより、壁面Ｗ２とブラケット本体２との間にカバー５の開口部２１への着脱を許容し得るだけの間隙が確保されることになる。
【００２９】
続いて、ブラケット本体２の内部から壁面固定座３の固定具挿通孔３２〜３２を通して固定ネジを壁面Ｗ１にねじ込むことにより、該ブラケット本体２を壁面Ｗ１に固定する。
【００３０】
以上のようにしてブラケット本体２を壁面Ｗ１に固定したならば、カバー５を、図３において白抜き矢符で示すように、その差込片５１を先にしてブラケット本体２と壁面Ｗ２との間に差し入れていき、差込片５１を壁面固定座３の差込孔３０に差し込んで両者を係合させる（図３において、下側に二点鎖線で示されるカバー５参照）。このとき、差込片５１と差込孔３０の係合し合う方向が壁面Ｗ１と直交する方向に略沿う方向とされているため、ブラケット本体２の壁面固定座３が壁面Ｗ２に近接していてもブラケット本体２と壁面Ｗ２との間にカバー５を差し入れるだけで差込片５１と差込孔３０とが係合される。
【００３１】
最後に、カバー５を、差込片５１を軸に手摺保持部４へ向かって旋回させる。そしてカバー５の弾性片５２を撓ませつつ手摺保持部４の係合孔４０に該弾性片５２の先端凸部５２ａを係合させることにより、該カバー５をブラケット本体２に固定し、これによって開口部２１がカバー５で閉塞され、手摺の入隅部における取付作業が完了する。
【００３２】
なお、壁面固定座３の形状は、上記したような略矩形状である必要はなく、例えば、円形、楕円形など、任意の形状であってもよい。
【符号の説明】
【００３３】
１    手摺用エンドブラケット
２    ブラケット本体
３    壁面固定座
４    手摺保持部
５    カバー
２０  湾曲部
２１  開口部
３０  差込孔（第一被係合部）
３１  延出部
４０   係合孔（第二被係合部）
５１  差込片（第一係合部）
５２  弾性片（第二係合部）
Ｗ１  壁面
Ｗ２  隣接する壁面
【図１】
0006564342.tif 000002
【図２】
0006564342.tif 000003
【図３】
0006564342.tif 000004